(57)【要約】【課題】  就職希望者の就職活動の進行に合わせて活動を適宜かつ適切に支援すること、また、適切な記録により、次の活動に繋げて行ける就職活動記録手帳を提供する。【解決手段】  就職活動の記録部としての活用編１０と就職活動のための基礎情報を記載した情報編２０とを含み、活用編１０には、少なくともスケジュール用カレンダー部と、主要な就職サイト又は企業のＩＤ・パスワード一覧表記録部と、企業名、選考、合否情報を含む進行状況一覧記録部とを備える就職活動記録手帳１とする。【選択図】        図２
0003109531.tif 000002
【実用新案登録請求の範囲】
【請求項１】
就職活動の記録部としての活用編と前記就職活動のための基礎情報を記載した情報編とを含み、
前記活用編には、少なくともスケジュール用カレンダー部と、主要な就職サイト又は企業のＩＤ・パスワード一覧表記録部と、企業名、選考、合否情報を含む進行状況一覧記録部とを、備えることを特徴とする就職活動記録手帳。
【請求項２】
前記活用編には、注意書を含む説明会・セミナー記録表を備えることを特徴とする請求項１に記載の就職活動記録手帳。
【請求項３】
前記活用編には、注意書を含む面接記録表を備えることを特徴とする請求項１又は２に記載の就職活動記録手帳。
【請求項４】
前記活用編には、履歴書及び自己ＰＲの早見表を備えることを特徴とする請求項１乃至３のいずれか１項に記載の就職活動記録手帳。
【請求項５】
前記活用編には、よくある質問対策表を備えることを特徴とする請求項１乃至４のいずれか１項に記載の就職活動記録手帳。
【請求項６】
前記情報編には、先輩訪問の御礼メール又は企業に対しての質問メールのテンプレートを備えることを特徴とする請求項１乃至５のいずれか１項に記載の就職活動記録手帳。
【請求項７】
前記情報編には、郵便局の所在地とカフェ店の所在地とを記録した就職活動地域の主要な街の地図を備えることを特徴とする請求項１乃至６のいずれか１項に記載の就職活動記録手帳。
【請求項８】
前記情報編には、起点となる駅からの所要時間を記載した所要時間表を備えることを特徴とする請求項１乃至７のいずれか１項に記載の就職活動記録手帳。
【考案の詳細な説明】
【技術分野】
【０００１】
この考案は就職活動の進行に合わせて活動を適切に支援しその適切な記録をとるための就職活動記録手帳に関する。
【背景技術】
【０００２】
従来からコンピュータ、インターネットを活用した就職活動支援システムは、多数提案されている。これらの提案は就職希望者と求人情報の効率的マッチングに関するものが多い。しかし、実際の就職活動に当たっては、就職希望者の就職活動の進行に合わせて活動を適切に支援することが、また、その適切な記録をとり次の活動に繋げて行く事が重要である。
【０００３】
これに対する従来の技術としては、例えば、就職活動を総合的に案内、支援する就職活動支援ガイド冊子と、履歴書及び封筒のセット体とをセット化した就職活動必須セットがある（特許文献１参照）。
【特許文献１】登録実用新案第３０９８４６７号（要約、実用新案登録請求の範囲、図１）
【考案の開示】
【考案が解決しようとする課題】
【０００４】
しかしながら、上記従来の技術は、履歴書及び封筒のセット体と就職活動支援ガイド冊子とをセットしたものであるが、就職活動支援ガイド冊子は、巻頭目次欄に、就職情報の獲得マニュアルと、履歴書の書き方と、面接の受け方の３コラムを定形化して形成し、履歴書の書き方のコラムには、定形見本を示した上で、新卒又は転職或いはパートアルバイト別で、かつ求人ジャンル別の案内ページを示し、面接の受け方では、応募のコツ、話し方、その他の面接のポイントについての案内ページを示したものである。このため、ガイド冊子はあくまで案内書（ガイドブック）であり、就職希望者の就職活動の進行に合わせて活動を適宜かつ適切に支援すること、また、適切な記録をとり、次の活動に繋げて行く配慮はされていない。
【０００５】
そこで、本考案が解決しようとする課題は、就職希望者の就職活動の進行に合わせて活動を適宜かつ適切に支援すること、また、適切な記録により、次の活動に繋げて行ける就職活動記録手帳を提供することにある。
【課題を解決するための手段】
【０００６】
上記課題を解決するため、請求項１に記載の考案では、就職活動の記録部としての活用編と前記就職活動のための基礎情報を記載した情報編とを含み、前記活用編には、少なくともスケジュール用カレンダー部と、主要な就職サイト又は企業のＩＤ・パスワード一覧表記録部と、企業名、選考、合否情報を含む進行状況一覧記録部とを、備える就職活動記録手帳とする。これによって、スケジュール用カレンダー部の参照とこれへの記録によって日程確認と調整が行え、主要な就職サイト又は企業のＩＤ・パスワード一覧表記録部への記録によって、サイトへの円滑な確認アクセスが可能であり、企業名、選考、合否情報を含む進行状況一覧記録部への記録によって各企業における選考の進行が一目瞭然である。さらに、活用編と情報編とに分離することで、個人独自の情報が、活用編に集中され使い易いものとできる。このため、就職希望者の就職活動の進行に合わせて活動を適宜かつ適切に支援すること、また、適切な記録により、次の活動に繋げることが可能である。
【０００７】
請求項２に記載の考案では、請求項１に記載の考案の活用編に、注意書を含む説明会・セミナー記録表を備える就職活動記録手帳とする。これによって、注意書にしたがって説明会・セミナーの記録を適切に残すことができ、次の活動に繋げることが可能である。
【０００８】
請求項３に記載の考案は、請求項１又は２に記載の考案の活用編に、注意書を含む面接記録表を備える就職活動記録手帳とする。これによって、注意書にしたがって面接の記録を適切に残すことができ、次の活動に繋げることが可能である。
【０００９】
請求項４に記載の考案では、請求項１乃至３のいずれか１項に記載の考案の
活用編に、履歴書及び自己ＰＲの早見表を備える就職活動記録手帳とする。これによって、履歴書及び自己ＰＲの早見表の記録に基づき、面接時の適切な対応の一助とすることができる。
【００１０】
請求項５に記載の考案では、請求項１乃至４のいずれか１項に記載の考案の活用編に、よくある質問対策表を備える就職活動記録手帳とする。これによって、よくある質問対策表の記録に基づき、面接時の適切な対応の一助とすることができる。
【００１１】
請求項６に記載の考案では、請求項１乃至５のいずれか１項に記載の考案の情報編に、先輩訪問の御礼メール又は企業に対しての質問メールのテンプレートを備える就職活動記録手帳とする。これによって、先輩訪問の御礼メール又は企業に対しての質問メールに対する適切な対応の一助とすることができる。
【００１２】
請求項７に記載の考案では、請求項１乃至６のいずれか１項に記載の考案の情報編に、郵便局の所在地とカフェ店の所在地とを記録した就職活動地域の主要な街の地図を備える就職活動記録手帳とする。これによって、就職セミナー、面接等の合間の時間を利用して、カフェ店で就職活動に必要なエントリーシート等を記入し、そのままの足で、郵便局でそのエントリーシート等を郵送することを、容易とし、時間の有効活用が図れる。
【００１３】
請求項８に記載の考案では、請求項１乃至７のいずれか１項に記載の考案の情報編に、起点となる駅からの所要時間を記載した所要時間表を備える就職活動記録手帳とする。これによって、所要時間、乗換時などを容易に知り、また確認できる。特に、地下鉄乗車時は携帯サイトの乗換案内は使用が不能であるので、これに代わる手段として有効である。
【考案の効果】
【００１４】
本考案の就職活動記録手帳によれば、スケジュール用カレンダー部の参照とこれへの記録によって日程確認と調整が行え、主要な就職サイト又は企業のＩＤ・パスワード一覧表記録部への記録によって、サイトへの円滑な確認アクセスが可能であり、企業名、選考、合否情報を含む進行状況一覧記録部への記録によって各企業における選考の進行が一目瞭然である。このため、就職希望者の就職活動の進行に合わせて活動を適宜かつ適切に支援すること、また、適切な記録により、次の活動に繋げることが可能である。
【考案を実施するための最良の形態】
【００１５】
以下本考案の実施の形態を図を参照しつつ説明する。
【００１６】
図１乃至図１６は、本考案による一実施の形態としての就職活動記録手帳に関するもので、図１及び図２は、その主な構造的構成を示す。図３乃至図１６は、就職活動記録手帳の各見開き頁の概観を示す。
【００１７】
就職活動記録手帳１は、一端に綴じ代を有する小冊子であり、就職活動の記録部としての活用編１０と就職活動のための基礎情報を記載した情報編２０とを含み、表紙２と裏表紙３との間に、活用編１０と情報編２０とが、この順番に綴じられている。活用編１０の最初の見出し頁１０Ａには、活用編の見出し１０Ｂと活用編内容目次１０Ｃが記載され、情報編２０の最初の見出し頁２０Ａには、情報編の見出し２０Ｂと情報編内容目次２０Ｃが記載されている。
【００１８】
活用編には、少なくともスケジュール用カレンダー部１１（図３）と、主要な就職サイト又は企業のＩＤ・パスワード一覧表記録部１２（図４）と、企業名、選考、合否情報を含む進行状況一覧記録部１３（図５）とを備える。さらに、この実施の形態では、活用編に、注意書を含む説明会・セミナー記録表１４（図６）、注意書を含む面接記録表１５（図７）、履歴書及び自己ＰＲの早見表１６（図８）、よくある質問対策表１７（図９）、メモ頁１８（図１０）をも備える。
【００１９】
情報編に、先輩訪問の御礼メール又は企業に対しての質問メールのテンプレート２４（図１４），２５（図１５）を備える。さらに、ここでの情報編は、主要地域の地図２１（図１１）、交通図（路線図、所要時間表  図示せず）、業界用語集２２（図１２）、業界図２３（図１３）、疲れた時のリフレッシュ方法の頁２６（図１６）、友達などからのメッセージの頁２７（図１６）が設けられている。
【００２０】
さらに図３乃至１６に従って、本実施の形態における各構成頁の内容を説明する。
【００２１】
図３は、就職活動記録手帳１に綴じ込まれているスケジュール用カレンダー部１１の見開き頁の概観を示す平面図である。この見開き頁には、左頁の左端、右頁の右端にそれぞれ索引１１Ａ，１１Ｂが設けられて、頁の検索を容易としている。その頁の該当する索引区分は、文字の太さを変える、文字または枠の色を変える等の区別によって示される。この索引は、以降の各頁において、その頁の該当する索引区分も区別表示されているが、いずれの頁も同様の配置となっており、以降の頁では図示を省略する。左に日付を縦に並べ、その各横にわずかなメモ欄をとった縦型カレンダー１１Ｃ、１週ごとを横枠として並べた横型カレンダー１１Ｄ、その下部にメモ欄１１Ｅ、各頁の下端には、就職内定者などの先輩からのメッセージ１１Ｆが設けられている。活用編１０の各頁下端にはこのメッセージが、設けられているが、以降の頁では図示を省略する。また、見開き頁の左上には、見出し１１Ｇが「スケジュール（Schedule）」と記載されている。
【００２２】
図４は、就職活動記録手帳１に綴じ込まれている主要な就職サイト及び企業のＩＤ・パスワード一覧表記録部１２の見開き頁の概観を示す平面図である。ＩＤ・パスワード一覧表記録部１２には、サイト名、ＩＤ，パスワードの記入欄を持つ主要な就職サイト欄１２Ｃと、企業名、ＩＤ，パスワード、ＥＳ（エントリー・シート）〆切日、ＥＳ提出方法、済みか否か、の記入欄を持つ企業サイト欄１２Ｄとが設けられている。見出し１２Ｇは、「ＩＤ・パスワード一覧表」と記載されている。
【００２３】
図５は、就職活動記録手帳１に綴じ込まれている企業名、選考、合否情報を含む進行状況一覧記録部１３の見開き頁の概観を示す平面図である。見出し１３Ｇには「進行状況一覧表」と表示されており、その下の表１３Ｃには、選考とその合否は、一次面接、二次面接など繰り返されることがあるため、選考１から６欄まで設けている。就職希望者は就職活動の進行に合わせて表１３Ｃの下部に活動を記録することになる。
【００２４】
図６は、就職活動記録手帳に綴じ込まれている注意書を含む説明会・セミナー記録表１４の見開き頁の概観を示す平面図である。見出し１４Ｇは「説明会・セミナー記録表」とされており、企業名、訪問日、会場名、メモの記載欄からなる記録欄１４Ｃとその下に、今後の採用フロー欄１４Ｅがある。最初の頁のメモの記載欄には注意書き１４Ｄが記載されている。注意書き１４Ｄには、説明会・セミナーの参加で何を得て、何をここに記録すべきかが、簡明に記載されている。
【００２５】
図７は、就職活動記録手帳１に綴じ込まれている注意書を含む面接記録表１５の見開き頁の概観を示す平面図である。見出し１５Ｇは「面接記録表」とされており、企業名とメモの記載欄からなる記録欄１５Ｃが設けられている。最初の頁のメモの記載欄には注意書き１５Ｄが記載されている。注意書き１５Ｄには、面接記録表に何を記録すべきかが記載例とともに、また、今後にこの記録を役立てるための注意が記されている。
【００２６】
図８は、就職活動記録手帳１に綴じ込まれている履歴書と自己ＰＲの早見表１６の見開き頁の概観を示す平面図である。見出し１６Ｇは「履歴書・自己ＰＲの早見表」とされており、学歴欄１６Ｃ，資格欄１６Ｄ、成績欄１６Ｅ、自己ＰＲ欄１６Ｈ，学生時代に打ち込んだこと欄１６Ｉの各記載欄が設けられている。ここへの記載は、面接時の適切な受け答えに繋がるものである。
【００２７】
図９は、就職活動記録手帳１に綴じ込まれている、よくある質問対策表１７の見開き頁の概観を示す平面図である。見出し１７Ｇは「よくある質問対策表」とされており、「あなたの長所を３つ挙げ、そのエピソードを述べてください」の欄１７Ｃ、「あなたの短所を３つ挙げ、そのエピソードを述べてください」の欄１７Ｄ、「学生時代に勉強してきたこと」の欄１７Ｅ、「一番苦労したことは何ですか？どうやってそれを乗り越え、どう成長しましたか？」の欄１７Ｈの各記載欄が設けられている。さらに「友達からどんな人だと言われますか？」の欄（図示せず）、「会社を選ぶ際に重視すること」の欄（図示せず）、参考の欄（図示せず）、の各記載欄を設けることが望ましい。ここへの記載は、面接時の適切な受け答えに繋がるものである。
【００２８】
図１０は、就職活動記録手帳１に綴じ込まれているメモ頁１８Ａ及びミシン入りメモ頁１８Ｂからなる見開きメモ頁１８の概観を示す平面図である。特に、ミシン入りメモ頁１８Ｂは、短いメモに便利に活用できる。
【００２９】
図１１は、就職活動記録手帳１の情報編２０に綴じ込まれている地図２１の見開き頁の概観を示す平面図である。見出し２１Ｃが左上に記載され、その下の枠２１Ｄ内には地図が表記されている。この見開き頁には、左頁の左端、右頁の右端に情報編２０の索引２１Ａ，２１Ｂそれぞれが設けられて、頁の検索を容易としている。その頁の該当する索引区分は、文字の太さを変える、文字または枠の色を変える等の区別によって示される。この索引は、以降の情報編２０の各頁において、その頁の該当する索引区分も区別表示されているが、いずれの頁も同様の配置となっており、以降の頁では図示を省略する。
【００３０】
図示していないが、図１１に、郵便局の所在地とカフェ店の所在地とを記録した就職活動地域の主要な街の地図を備えることとして、情報編を充実することが望ましい。これによって、就職セミナー、面接等の合間の時間を利用して、カフェ店で就職活動に必要なエントリーシート等を記入し、そのままの足で、郵便局でそのエントリーシート等を郵送することを、容易とし、時間の有効活用が図れることになる。就職活動地域の主要な街の地図としては、例えば東京都内での就職活動の場合であれば、大手町、日比谷、新宿の地図ということになろう。また、郵便局については、所在地だけでなく、郵便物の取扱時間などの記載があればさらに有効である。
【００３１】
さらに、これも図示を省略するが、情報編に、就職活動等の起点となる駅からの所要時間を記載した所要時間表を備えることとすれば、所要時間、乗換時などを容易に知り、また確認できる。起点となる駅は、一般には始発駅であるが、必要に応じて、主なターミナル駅などであることができる。最近は、これらの路線情報を携帯電話のウエブサイトから得ることが頻繁に行われるが、電車内での携帯電話の使用は不可なので、この所要時間表は貴重である。特に、地下鉄乗車時は携帯サイトの乗換案内は使用が不能であるので、これに代わる手段として有効である。就職活動地域が、都区内であれば、複数の地下鉄の路線図と所要時間表は、必要となる。所要時間表は、始発駅から各駅の標記が連続して並び、始発駅からの各駅までの所要時間、各駅間の所要時間が少なくとも記載されていることが望ましい。表の形式は、縦線または横線に沿って並べた駅名と、始発駅からその駅までの所要時間、駅名間に各駅間の所要時間を記載するもの、出発駅名を左欄に、到着駅名を最上欄にして、各駅について縦横ブロックを形成し、このブロック内に時間を入れる形式でもよい。この両者ともよく見受ける形式である。
【００３２】
図１２は、就職活動記録手帳１に綴じ込まれている業界用語集２２の見開き頁の概観を示す平面図である。左上には見出し２２Ｃが標記され、その下には各用語の解説２２Ｄが並んでいる。
【００３３】
図１３は、就職活動記録手帳１に綴じ込まれている業界図２３の見開き頁の概観を示す平面図である。左上には見出し２３Ｃが標記され、その下には業界の構成がブロック図２３Ｄで示されている。
【００３４】
図１４は、就職活動記録手帳１に綴じ込まれているＯＢ・ＯＧ訪問の御礼メールのテンプレート２４の見開き頁の概観を示す平面図である。左上には見出し２４Ｃが標記され、その下には枠２４Ｄ内に見本が例示され、右頁の上側には、記載のポイント２４Ｅが、その下には、例示見本から引き出し線を用いて注意書きが記載されている。
【００３５】
図１５は、就職活動記録手帳１に綴じ込まれている企業に対しての質問メールのテンプレート２５の見開き頁の概観を示す平面図である。左上には見出し２５Ｃが標記され、その下には枠２５Ｄ内に見本が例示され、右頁の上側には、記載のポイント２５Ｅが、その下には、例示見本から引き出し線を用いて注意書きが記載されている。
【００３６】
図１６は、就職活動記録手帳１に綴じ込まれている「疲れた時のリフレッシュ方法」の頁２６と「友達などからのメッセージ」の頁２７からなる見開き頁の概観を示す平面図である。左頁には、左上に見出し２６Ｃが標記され、その下には疲れた時のリフレッシュ方法として、十分な睡眠、好きなことをする、友人との情報交換、足からケアなどの記載２６Ｅがある。右頁には、左上に見出し２７Ｃが標記され、メッセージの丸書き込み欄２７Ｂが複数設けられている。
【００３７】
上記のように、上記の実施の形態では、スケジュール用カレンダー部の参照とこれへの記録によって日程確認と調整が行え、主要な就職サイト又は企業のＩＤ・パスワード一覧表記録部への記録によって、サイトへの円滑な確認アクセスが可能であり、企業名、選考、合否情報を含む進行状況一覧記録部への記録によって各企業における選考の進行が一目瞭然である。さらに、活用編と情報編とに分離することで、個人独自の情報が、活用編に集中され使い易いものとなっている。
【００３８】
注意書にしたがって説明会・セミナーの記録を適切に残すことができ、次の活動に繋げることが可能である。また、注意書にしたがって面接の記録を適切に残すことができ、次の活動に繋げることが可能である。
【００３９】
履歴書及び自己ＰＲの早見表の記録に基づき、面接時の適切な対応の一助とすることができる。よくある質問対策表の記録に基づき、面接時の適切な対応の一助とすることができる。先輩訪問の御礼メール又は企業に対しての質問メールに対する適切な対応の一助とすることができる。これらによって、就職希望者の就職活動の進行に合わせて活動を適宜かつ適切に支援すること、また、適切な記録により、次の活動に繋げることが可能である。
【産業上の利用可能性】
【００４０】
以上のように、本考案による就職活動記録手帳は、就職活動を支援する手帳として有用であり、手帳の活用及び需要が見込まれる。
【図面の簡単な説明】
【００４１】
【図１】本考案による一実施の形態としての就職活動記録手帳の表面の概要を示す外観斜視図である。
【図２】図１の就職活動記録手帳を開いて全体の概要を示す外観斜視図である。
【図３】図１の就職活動記録手帳に綴じ込まれているスケジュール用カレンダー部の見開き頁の概観を示す平面図である。
【図４】図１の就職活動記録手帳に綴じ込まれている主要な就職サイト及び企業のＩＤ・パスワード一覧表記録部の見開き頁の概観を示す平面図である。
【図５】図１の就職活動記録手帳に綴じ込まれている企業名、選考、合否情報を含む進行状況一覧記録部の見開き頁の概観を示す平面図である。
【図６】図１の就職活動記録手帳に綴じ込まれている注意書を含む説明会・セミナー記録表の見開き頁の概観を示す平面図である。
【図７】図１の就職活動記録手帳に綴じ込まれている注意書を含む面接記録表の見開き頁の概観を示す平面図である。
【図８】図１の就職活動記録手帳に綴じ込まれている履歴書と自己ＰＲの早見表の見開き頁の概観を示す平面図である。
【図９】図１の就職活動記録手帳に綴じ込まれているよくある質問対策表の見開き頁の概観を示す平面図である。
【図１０】図１の就職活動記録手帳に綴じ込まれているメモ頁及びミシン入りメモ頁からなる見開きメモ頁の概観を示す平面図である。
【図１１】図１の就職活動記録手帳に綴じ込まれている地図の見開き頁の概観を示す平面図である。
【図１２】図１の就職活動記録手帳に綴じ込まれている業界用語集の見開き頁の概観を示す平面図である。
【図１３】図１の就職活動記録手帳に綴じ込まれている業界図の見開き頁の概観を示す平面図である。
【図１４】図１の就職活動記録手帳に綴じ込まれているＯＢ・ＯＧ訪問の御礼メールのテンプレートの見開き頁の概観を示す平面図である。
【図１５】図１の就職活動記録手帳に綴じ込まれている企業に対しての質問メールのテンプレートの見開き頁の概観を示す平面図である。
【図１６】図１の就職活動記録手帳に綴じ込まれている疲れた時のリフレッシュ方法の頁と友達などからのメッセージの頁からなる見開き頁の概観を示す平面図である。
【符号の説明】
【００４２】
１  就職活動記録手帳、２  表紙、３  裏表紙、１０  活用編、１０Ａ  最初の見出し頁、１０Ｂ  活用編の見出し、１０Ｃ  活用編内容目次、１１  スケジュール用カレンダー部、１１Ａ，１１Ｂ  索引、１１Ｃ  縦型カレンダー、１１Ｄ  横型カレンダー、１１Ｅ  メモ欄、１１Ｆ  メッセージ、１１Ｇ  見出し、１２  ＩＤ・パスワード一覧表記録部、１２Ｃ  就職サイト欄、１２Ｄ  企業サイト欄、１２Ｇ  見出し、１３  進行状況一覧記録部、１３Ｃ  表、１３Ｇ  見出し、１４  説明会・セミナー記録表、１４Ｃ  記録欄、１４Ｄ  注意書き、１４Ｅ  採用フロー欄、１４Ｇ  見出し、１５  面接記録表、１５Ｃ  記録欄、１５Ｄ  注意書き、１５Ｇ  見出し、１６  履歴書及び自己ＰＲの早見表、１６Ｃ  学歴欄、１６Ｄ  資格欄、１６Ｅ  成績欄、１６Ｇ  見出し、１６Ｈ  自己ＰＲ欄、１６Ｉ  学生時代に打ち込んだこと欄、１７  よくある質問対策表、１７Ｃ  「あなたの長所を３つ挙げ、そのエピソードを述べてください」の欄、１７Ｄ  「あなたの短所を３つ挙げ、そのエピソードを述べてください」の欄、１７Ｅ  「学生時代に勉強してきたこと」の欄、１７Ｇ  見出し、１７Ｈ  「一番苦労したことは何ですか？どうやってそれを乗り越え、どう成長しましたか？」の欄、１８  見開きメモ頁、１８Ａ  メモ頁、１８Ｂ  ミシン入りメモ頁、２０  情報編、２０Ａ  最初の見出し頁、２０Ｂ  情報編の見出し、２０Ｃ  情報編内容目次、２１  地図、２１Ａ，２１Ｂ  索引、２１Ｃ  見出し、２１Ｄ  枠、２２  業界用語集、２２Ｃ  見出し、２２Ｄ  各用語の解説、２３  業界図、２３Ｃ  見出し、２３Ｄ  ブロック図、２４  先輩訪問の御礼メールのテンプレート、２４Ｃ  見出し、２４Ｄ  枠、２４Ｅ  記載のポイント、２５  企業に対しての質問メール、２５Ｃ  見出し、２５Ｄ  枠、２５Ｅ  記載のポイント、２６  疲れた時のリフレッシュ方法の頁、２６Ｃ  見出し、２７  友達などからのメッセージの頁、２７Ｂ  メッセージの丸書き込み欄、２７Ｃ  見出し。
【図１】
0003109531.tif 000003
【図２】
0003109531.tif 000004
【図３】
0003109531.tif 000005
【図４】
0003109531.tif 000006
【図５】
0003109531.tif 000007
【図６】
0003109531.tif 000008
【図７】
0003109531.tif 000009
【図８】
0003109531.tif 000010
【図９】
0003109531.tif 000011
【図１０】
0003109531.tif 000012
【図１１】
0003109531.tif 000013
【図１２】
0003109531.tif 000014
【図１３】
0003109531.tif 000015
【図１４】
0003109531.tif 000016
【図１５】
0003109531.tif 000017
【図１６】
0003109531.tif 000018